(57)【要約】【課題】電子放出素子を選択するためのスキャン線の配線抵抗による電圧効果によって生じるスメアを低減する。【解決手段】スキャン線、データ線、及びデータ線とスキャン線との交点部に設けられた電子放出素子とが形成されたＦＥＤパネル（１）と、スキャン線に選択信号を供給するスキャンドライバ（２）と、データ線に駆動信号を供給するデータドライバ（４）とを有し、上記選択信号により選択された複数電子放出素子を上記駆動信号で駆動するようにしたＦＥＤ等の表示装置において、上記スキャン線の各列における配線抵抗での電圧降下を補償するように、上記各データ線に供給される駆動信号を個別に補正する信号補正回路（３０）を設ける。【選択図】  図１
2005010319.tif 000002
【特許請求の範囲】
【請求項１】
表示装置において、
マトリクス状に配列された複数の電子放出素子と、
該複数の電子放出素子のうち行方向に配列された電子放出素子と接続される複数のスキャン線と、
前記複数の電子放出素子のうち列方向に配列された電子放出素子と接続されるデータ線と、
電子放出素子を行単位で列方向に順次選択するための選択信号を前記スキャン線に供給するスキャンドライバと、
前記電子放出素子を駆動するための、映像信号に基づく駆動信号を前記複数のデータ線の各々に供給するデータドライバと、
前記複数のデータ線に供給される駆動信号を、それぞれ前記映像信号に応じて補正する信号補正回路とを備えることを特徴とする表示装置。
【請求項２】
表示装置において、
マトリクス状に配列された複数の電子放出素子を行単位で選択するための選択信号が供給されるスキャン線と、前記複数の電子放出素子を駆動するための、映像信号に基づく駆動信号が供給されるデータ線とが形成された表示パネルと、
信号補正回路とを備え、
前記選択された行の複数電子放出素子に、前記選択信号と前記駆動信号との電位差に応じた電流を、当該行の複数電子放出素子に接続されるスキャン線を介して流すことにより、当該電子放出素子が前記電流に応じた電子を放出し、
前記信号補正回路は、前記電流が前記選択行の複数電子放出素子に接続されるスキャン線に流れることによって生じる電圧降下を補償するように、前記映像信号に応じて、前記選択行の複数電子放出素子に供給される各駆動信号を補正することを特徴とする表示装置。
【請求項３】
表示装置において、
行方向に延びて形成され、列方向に複数配列されたスキャン線と、
列方向に延びて形成され、行方向に複数配列されたデータ線と、
前記複数のスキャン線と複数のデータ線との各交点部に設けられた電子放出素子と、
前記複数のスキャン線に、前記複数の電子放出素子を行単位で選択するための選択信号を列方向に順次供給するスキャンドライバと、
前記複数のデータ線の各々に、前記電子放出素子を駆動するための、映像信号に基づく駆動信号を供給するデータドライバと、
前記複数電子放出素子に各々供給される駆動信号を個別に補正するための信号補正回路とを有し、該信号補正回路は、前記行方向の複数電子放出素子に各々対応する補正値を前記映像信号に加えることによって前記各駆動信号を補正するものであって、前記各補正値が前記映像信号の大きさに応じて変化されることを特徴とする表示装置。
【請求項４】
前記補正値を、前記複数電子放出素子の行方向位置に応じて異ならせるようにしたことを特徴とする請求項１に記載の表示装置。
【請求項５】
前記スキャン線の一端に前記スキャンドライバが接続されており、
前記映像信号が一定の場合に、該スキャン線に接続される電子放出素子の位置が前記スキャンドライバから離れるに従い、前記補正値が大きくなることを特徴とする請求項３に記載の表示装置。
【請求項６】
前記補正値が、前記スキャン線に接続される複数電子放出素子の各位置における電圧降下の大きさに基づき求められることを特徴とする請求項３に記載の表示装置。
【請求項７】
前記選択行の複数電子放出素子に供給される選択信号と駆動信号との電位差に応じて各電子放出素子に電流が流れ、該電流の値と行方向の複数電子放出素子の各位置における前記スキャン線の配線抵抗とによって定まる該複数電子放出素子各々の行方向位置における電圧降下を補償するように、前記補正値が求められることを特徴とする請求項３に記載の表示装置。
【請求項８】
表示装置において、
ｍ本のスキャン線及びｎ本のデータ線の交点部に（ｍ×ｎ）個の電子放出素子がマトリクス状に配置されるとともに、該電子放出素子に対向して蛍光体が配置された表示パネルと、
前記ｎ本のデータ線に、映像信号に基づく駆動信号が列単位で順次供給するデータドライバと、
前記ｍ本のスキャン線に、前記電子放出素子を行単位で選択するやめの選択信号が列方向に順次加えられるスキャンドライバと、
前記スキャンドライバによる行の選択時に、各ｎ本の列配線から該選択行のスキャン配線に流れる電流値Ｉｉ（ｉ＝１〜ｎ）による電圧上昇を補正する信号補正回路を設けたことを特徴とする表示装置。
【請求項９】
前記信号補正手段は、前記データドライバに供給する映像データを補正するものであって、前記スキャンドライバに近い列から順番に１、２、…、ｎとし、第ｉ列の映像信号振幅をＤｉとし、所定の係数をｋとした時に、映像信号の補正量Ｃｉは、下記数１により求められ、Ｄｉ＋Ｃｉを映像信号として用いることを特徴とする請求項８に記載の表示装置。
【数１】
2005010319.tif 000005
【請求項１０】
前記信号補正回路は、前記映像信号を駆動するデータドライブ回路に供給する映像データを補正するものであって、送られてくる点順次映像信号の開始列から順番に１、２、…、ｎとした場合、ｎ列側に前記スキャンドライブ回路を配置し、第ｉ列の映像信号振幅をＤｉとし、ある係数をｋとした時に、映像信号の補正量Ｃｉは、下記数２により求められ、Ｄｉ＋Ｃｉを映像信号として用いることを特徴とする請求項８に記載の表示装置。
【数２】
2005010319.tif 000006
【請求項１１】
前記信号補正回路は、前記映像信号を駆動するデータドライブ回路に供給する映像データを補正するものであって、送られてくる点順次映像信号の開始列から順番に１、２、…、ｎとした場合、ｎ列側に前記スキャンドライバを配置し、第ｉ列の映像信号振幅をＤｉとし、該Ｄｉに対して所定の係数を乗じた累積加算補正を行うことを特徴とする請求項８に記載の表示装置。
【請求項１２】
行方向に伸びる複数のスキャン線が列方向に配列されるとともに、列方向に延びる複数のデータ線が行方向に配列され、かつ該複数のスキャン線と該複数のデータ線との交点部のそれぞれに電子放出素子が配置された表示パネルと、
前記複数の電子放出素子を行単位で選択するための選択信号を、前記複数のスキャン線に列方向に順次供給するスキャンドライバと、
前記複数のデータ線のそれぞれに、前記電子放出素子を駆動するための、映像信号に基づく駆動信号を供給するデータドライバと、
前記映像信号が入力される入力部と、該入力部から入力された映像信号を処理するビデオ信号処理回路と、該ビデオ処理回路からの映像信号をデジタル形式で送信／受信するインターフェイス部と、該インターフェイス部で受信したデジタル映像信号を補正して前記データドライバに供給する信号補正回路とを有し、
前記信号補正回路は、行方向の複数電子放出素子に各々対応する補正値を前記デジタル映像信号に加えて補正することによって、該複数電子放出素子に各々供給される駆動信号を補正するものであって、前記各補正値を前記デジタル映像信号に基づき演算することを特徴とする表示装置。
【請求項１３】
前記表示パネル、スキャンドライバ及びデータドライバで表示モジュールを構成し、前記インターフェイス部の受信部分が該表示モジュール側に設けられ、該インターフェイス部の送信部分が前記ビデオ処理回路からの映像信号をデジタル形式で前記受信部分に送信することを特徴とする請求項１２に記載の表示装置。
【請求項１４】
行方向に伸びる複数のスキャン線が列方向に配列されるとともに、列方向に延びる複数のデータ線が行方向に配列され、かつ該複数のスキャン線と該複数のデータ線との交点部のそれぞれに電子放出素子が配置された表示パネルと、
前記複数のスキャン線と接続され、前記複数の電子放出素子を行単位で選択するための選択信号を、前記複数のスキャン線に列方向に順次供給するスキャンドライバと、
前記複数のスキャン線のそれぞれに、前記電子放出素子を駆動するための、映像信号に基づく駆動信号を供給するデータドライバとを有し、
前記表示パネルの面上に、全面が黒色で所定領域に白ウィンドウのパターンを表示した場合に、前記黒の領域に対応する複数電子放出素子への前記駆動信号が一定のレベルとなり、前記白ウィンドウの領域に対応する複数電子放出素子への前記駆動信号が、前記スキャンドライバから行方向に離れるに従って漸次もしくは段階的に大きくなるように、該駆動信号を補正するようにしたことを特徴とする表示装置。
【発明の詳細な説明】
【０００１】
【発明の属する技術分野】
本発明は、例えば、Ｆｉｅｌｄ  Ｅｍｉｓｓｉｏｎ  Ｄｉｓｐｌａｙ（以下ＦＥＤと略す）等の、画素がマトリクス状に配置されたマトリクス型の表示装置に関する。
【０００２】
【従来の技術】
ＦＥＤの構成については、下記特許文献１の図１、並びに段落番号００７１〜００７９に記載されている。すなわち、行方向（画面水平方向）に延びる複数の行電極（スキャン線）と列方向（画面水平方向）に延びる複数の列電極（データ線）との交点部に複数の電子放出素子をマトリクス状に配置し、上記スキャン線に走査信号を印加して行単位で電子放出素子を選択する。そして、選択された１行の電子放出素子に映像信号に基づく駆動信号を供給して電子を放出させ、これを電子放出素子に対向して配置された蛍光体に衝突させて発光させ、映像を形成する。
【０００３】
このような構成のＦＥＤにおいて、スキャン線、データ線の配線抵抗により生じる電圧降下（或いは電圧上昇）によって映像に輝度むらが生じることが、例えば、特許文献１〜３に開示されている。
【０００４】
【特許文献１】特開平８−２４８９２１号公報（図１、段落番号００７１〜００７９）
【特許文献２】特開平１１−１４９２７３号公報
【特許文献３】特開２００３−２２０４４公報
【０００５】
【発明が解決しようとする課題】
ところで、電子放出素子の種類としては、カーボンナノチューブ（ＣＮＴ）型、表面伝導型放出素子（ＳＣＥ）型、金属−絶縁層−金属型放出素子（ＭＩＭ）型などが存在する。上記ＳＣＥ型、ＭＩＭ型は、それに加わる選択信号及び駆動信号との電位差に応じた電流がその内部に流れることにより電子を放出している。この電子放出量は、電子放出素子内部を流れる電流（以下内部電流と呼ぶ）の大きさ応じて増加するが、ＳＣＥ型、ＭＩＭ型場合、電子放出量と内部電流の大きさとの比率、すなわちエミッタ効率は５％前後である。このため、ＳＣＥ型、ＭＩＭ型場合は、それに接続されるスキャン線の配線抵抗に上記内部電流が流れることによって生じる電圧降下の影響が特に大きくなる。この電圧降下は、内部電流、すなわち駆動信号が大きくなるほど顕著になる。よって、例えば駆動信号の基となる映像信号がある領域において高輝度の映像を表す場合（例えば白を表示する場合）、上記電圧降下の影響によって映像にスメア（ある領域と上下左右に隣接する場所において、ゴースト状の色、輝度むらが生じる現象）が発生する。
【０００６】
上記特許文献１及び２においては、スキャン線やデータ線の配線抵抗で生じる電圧降下による輝度むらを低減するために、電圧降下分を考慮して予め定めた補正データを駆動信号に加えるようにしている。上記において説明したように、電圧降下は、各電子放出素子に供給される駆動電圧、すなわち映像信号に応じて変化するが、特許文献１及び２には映像信号の大きさによる電圧降下変動分については考慮されていない。上記特許文献３は、映像信号の応じて補正データの値を変化させることを開示しているが、これは画面水平方向を複数のノードに分割してノードごとに補正データを演算しており、各データ線に供給される駆動信号毎に補正データを求めていない。
【０００７】
本発明は、上記のような課題に鑑みてなされたものであり、その目的は、上記電圧降下による映像の輝度むらを好適に低減して高画質な映像を表示することが可能な表示装置を提供することにある。
【０００８】
【課題を解決するための手段】
上記目的を達成するための、本発明に係る表示装置は、スキャン線に接続される複数の電子放出素子にそれぞれ供給される駆動信号について、それぞれ該駆動信号の基と成る映像信号に応じて補正することを特徴とするものである。この補正は、上記内部電流が選択行の複数電子放出素子に接続されるスキャン線に流れることによって生じる電圧降下を補償するように、信号補正回路で行われる。
【０００９】
スキャン線の１画素数あたりの（各データ線と交差する位置毎の）配線抵抗をｒ、データ線からスキャン線に流れる各画素（電子放出素子）の内部電流をＩｉとすれば、画素毎にｒ・Ｉｉによる電圧降下が発生することになる。すなわち本発明では、この電圧降下分を補正値として、各画素に対応する映像信号をあらかじめ補正することにより、各駆動信号の振幅を補正する構成としている。
【００１０】
このような構成によれば、行方向に配列された各電子放出素子に供給される駆動信号のそれぞれを補正するので、画素毎に、当該画素における映像信号に依存する電圧降下を個別に補償することができる。従って、本発明によれば、精度の高い輝度むら補正を行うことができ、スメアを好適に低減することができる。
【００１１】
【発明の実施の形態】
以下、本発明の実施形態について、図面を参照しつつ説明する。図１は、本発明に係る表示装置（ＦＥＤ）の第１の実施形態を示す図であり、画素毎に輝度補正を行うことが可能な信号補正回路３０を備えることを特徴とするものである。
【００１２】
ビデオ信号端子１６に入力された映像信号は、ビデオ信号処理回路１７で振幅、黒レベル、色合い調整等の各種信号処理が行われる。システムマイコン１９は、ビデオ信号処理回路１７における振幅、黒レベル、色合い調整に必要な設定データ等を記憶し、この設定データに基づきビデオ信号処理回路１７における信号処理の制御を行う。ビデオ信号処理回路１７で信号処理された映像信号は、インターフェイス部の送信部であるＬＶＤＳＴｘ回路（Ｌｏｗ  Ｖｏｌｔａｇｅ  Ｄｉｇｉｔａｌ  Ｓｉｇｎａｌｉｎｇ  Ｔｒａｎｓｍｉｔｔｅｒ：低電圧のデジタル差動信号送信器）１８に供給され、デジタル形式の映像信号としてＦＥＤモジュール２０に送信される。
【００１３】
ＦＥＤモジュール２０は、ＬＶＤＳＲｘ回路（ＬＶＲＳ  Ｒｅｃｅｉｖｅｒ：ＬＶＤＳ受信器）１２、信号補正回路３０、タイミングコントローラ１３、スキャンドライバ２、データドライバ４、ＦＥＤパネル１、高圧発生回路７、高圧制御回路８及び電源回路１５等を含む。上記ＬＶＤＳＴｘ回路１８から送信されたデジタル形式の映像信号は、ＦＥＤモジュール２０に設けられたインターフェイス部の受信部であるＬＶＤＳＲｘ回路（ＬＶＲＳ  Ｒｅｃｅｉｖｅｒ：ＬＶＤＳ受信器）１２で受信される。ＬＶＤＳＲｘ回路１２が受信したデジタル形式の映像信号は、信号補正回路３０により上述した電圧降下を補償するための補正が成される。この補正の詳細については後述する。信号補正回路３０で補正された映像信号は、タイミングコントローラ１３に入力される。タイミングコントローラ１３は、スキャンドライバ２、データドライバ４、及び高圧制御回路８がそれぞれ最適なタイミングで動作するように、上記映像信号とともに入力された水平及び垂直同期信号に基づくタイミング信号と映像データを送る。
【００１４】
ここで、ＦＥＤパネル１について説明する。ＦＥＤパネル１は、パッシブマトリクス方式の映像表示装置であり、互いに対向する背面基板と前面基板を有している。背面基板には、列方向（画面垂直方向）に延びる複数のデータ線が行方向（画面水平方向）に配列され、行方向に延びる複数のスキャン線が列方向に配列されている。そして、複数のデータ線と複数のスキャン線の各交点部に電子放出素子を設けることにより、複数の電子放出素子をマトリクス状に配置する。前面基板には、各電子表出素子と対向して蛍光体が配置されている。
【００１５】
ＦＥＤパネル１のスキャン線にはスキャンドライバ２が接続される。このスキャンドライバ２は、タイミングコントローラ１３からのタイミング信号に基づき、複数の電子放出素子を行単位（１または２行）で選択するための選択信号を、列方向に順次スキャン線に印加して行の選択動作を行う。この選択信号は、例えば選択時は０Ｖ、非選択時は５Ｖの電圧に設定される。またＦＥＤパネル１のデータ線にはデータドライバ４が接続される。データドライバ４は、タイミングコントローラ１３からの映像データに基づき、１行の電子放出素子に対し、それぞれ入力映像信号に基づく駆動信号をデータ線に供給する。またデータドライバ４は、タイミングコントローラ１３からのタイミング信号に基づき、ＦＥＤパネル１の１行のデータ、すなわちタイミングコントローラからの１ラインの映像データを１水平期間保持し、１水平周期毎にデータを書き換える。尚、図１では、ＦＥＤパネルの水平画素数を１２８０ｘ３、垂直画素数を７２０としており、この場合のデータドライバは、１９２出力のＬＳＩを使用すると２０個、スキャンドライバは１２８出力のＬＳＩを使用すると６個必要となる。図１ではそれぞれ回路ブロック２及び４で示している。
【００１６】
ＦＥＤパネル１のアノード端子には、このアノード端子に高圧（例えば７ｋＶ）を加えるための高圧発生回路７が接続されている。この高圧は、電源端子１０に供給される電源電圧に基づき生成され、高圧制御回路８によって制御される。また、この電源電圧は、ＦＥＤモジュール２０に備えられたコネクタ１５に供給される電源を昇圧等することにより生成される。
【００１７】
このような構成のＦＥＤにおける表示に係る動作について以下に説明する。上記スキャンドライバ２によってスキャン線を介して選択信号が印加された（すなわち選択された）１行の電子放出素子に、データドライバ４からデータ線を介して駆動信号が与えられると、当該行の電子放出素子は、選択信号と駆動信号との電位差に応じた量の電子を放出する。選択時において印加される選択信号のレベルは、電子放出素子の位置に関わらず一定であるため、電子放出素子からの電子放出量は、駆動信号のレベルにより変化する（すなわち、駆動信号の基となる映像信号のレベルによって定まる）。そしてＦＥＤパネル１のアノード端子には、高圧回路７からの加速電圧（例えば７ｋＶ）が加えられている為、電子放出素子から放出された電子は、この加速電圧により加速され、ＦＥＤパネル１の前面基板に配置された蛍光体に衝突する。蛍光体は、この加速電子が衝突されることにより励起し、発光を行う。これにより、選択された１水平ラインの映像が表示される。さらに、スキャンドライバ２は、複数のスキャン線に対し、列方向に順次選択信号を印加することにより、１行ずつ電子放出素子の選択を行う。これにより、１フレームの映像をＦＥＤパネルの表示面上に形成すことができる。ＦＥＤパネル１に表示する映像が明るい場合は、高圧回路７からの負荷電流が多く、映像が暗い場合は負荷電流が少なくなる。高圧発生回路７の電圧値は、負荷電流が多くなるに従い低下するが、高圧制御回路８により高圧値を一定に保つように高圧安定化の制御が行われる。
【００１８】
次に、信号補正回路３０の動作について、図２〜図５を併用しつつ説明する。図２はＦＥＤパネル１内部の配線構造の一例を示したものである。また、図３は、図２におけるＦＥＤパネルの１画素の断面を模式的に示したものである。図４は、５×９のマトリクス表示の例を用いて、補正の具体的な動作を説明するための図である。図５は、本発明における具体的な信号補正の方法を示している。図２において、スキャン線（行選択線）は６５〜６８、データ線（列選択線）は６１〜６４、蛍光体は６９〜８４、スキャン線からデータ線に流れる画素毎の電流は８７〜９０、下部ガラス基板（背面基板）は６０、上部ガラス基板（前面基板）は８５で示している。尚、データ線とスキャン線の末端に記述した数字は行及び列の番号を表すものである。例えば２行目に映像信号を表示する場合は、スキャン線６６にデータドライバから選択信号を印加して選択状態にするとともに、データ線６１〜６４に、データドライバ４から駆動信号である所定のアナログ電圧を供給する。
【００１９】
この選択状態における２行目の画素（すなわち２番目のスキャン線とデータ線との交差部に接続された画素）の動作を図３に示す。図３は、電子放出素子として、ＭＩＭ型の電子放出素子（以下、単にＭＩＭと呼ぶ）を例にして説明している。スキャン線６６とデータ線６１の間に、選択信号と駆動信号の電位差として、数Ｖ〜１０Ｖの電圧が加わると、ＭＩＭにおいては矢印に示された方向に電流８７（以下、ＭＩＭ電流と呼ぶ）が絶縁物５９を透過して流れる。このＭＩＭ電流８７が流れることにより、絶縁物５９の表面に電子が発生する状態となる。それと同時に、高圧発生回路７からの加速電圧により電子を蛍光体側へ加速する作用を持つ電界をＦＥＤパネル１の内部に生成し、電子ビーム８６を形成する。この電子ビーム８６が蛍光体７３と衝突し、蛍光体７３を励起することにより発光が行われる。蛍光体からの光は上部ガラス基板８５を透過して外部へ放出される。
【００２０】
蛍光体７３からの発光強度は、電子ビーム８６の電流密度に略比例し、電流密度はＭＩＭ電流８７に比例する。すなわち高輝度発光時にはＭＩＭ電流８７は多く、低輝度発光時にはＭＩＭ電流８７は少なくなる。従って、図２のＭＩＭ電流８７〜９０は、１水平ラインを表示する映像内容により画素毎に異なる値をとり、この電流８７〜９０は全てスキャン線６６を通りスキャンドライバ２に流れる。ここで、スキャン線は通常数Ω〜十数Ωの配線抵抗を持っているため、スキャン線に流れる電流により電圧降下が生じる。スキャン線とデータ線との交点、すなわち画素を１つの単位とすると、各画素位置におけるスキャン線の配線抵抗の値は、スキャンドライバ２から離れるに従って大きくなる。スキャン線６６の配線抵抗が大きい場合には、このＭＩＭ電流による電圧降下作用が画素位置と映像信号により大きく異なるため、画面水平方向にわたって輝度むらが発生する。従って、この電圧降下を補償するような補正無しでは、輝度むらを解消した綺麗な映像は表示することが難しい。本発明に係る信号補正回路３０は、この電圧降下による電圧変化をデータドライバ４からの駆動信号を制御することにより補正するものである。
【００２１】
この信号補正回路３０による補正動作の詳細を図４、図５を用いて説明する。図４は基本的に図２と同一であり、５行９列の場合で示した例である。点線枠９１で囲まれた部分が高輝度の白色表示であるとする。すなわち、図４の例では、画面全体が黒色で、かつ点線枠９１で囲まれた領域に白ウィンドウを表示した例である。いま、第２行に着目すると、ＭＩＭ電流は、点線枠９１の白ウィンドウ領域に対応する画素において多く（すなわち電流９２〜９４）、白ウィンドウ外の黒色領域に対応する画素において少なくなっている（すなわち電流５８、９５）。このときのスキャン線とデータ線に加わる電圧波形を同図の下部に示している。スキャンドライバ２からの選択信号によるスキャン線駆動波形を９７に、データ線駆動波形を９６に示す。データ線駆動波形９６は、白ウィンドウ領域においてＭＩＭ電流９２〜９４により電圧効果が生じるため、点線９８に示すように、当該白ウィンドウ領域においてステップ状に変化する形となる。このため、スキャン線とデータ線との（選択信号と駆動信号との）電位差は矢印９９であるべきところが、実際には矢印１００となる。この結果、電流５８に相当する駆動信号のレベルは小さくなり、暗い映像となる。これを防ぐ為に、データ線の駆動電圧平均値を調整して一点鎖線１０２に設定すると、電位差は矢印１０１となり改善されるが、電流９５に相当する電圧降下は矢印５７となって小さくなる為に暗い映像となる。これらを正確に補正するには、スキャンドライバ２により選択されたスキャン線と、各データ線との間に流れる電流による電圧降下を、対応するデータ線毎に算出し、図４の破線１０３となる様に補正すれば良いことになる。
【００２２】
図５は、データ線毎に駆動信号の補正を行うための、信号補正回路３０における補正データ作成の一具体例を示している。ＬＶＤＳＲｘ１２からの映像信号データは、信号補正回路３０内のメモリ１０４に一度取り込まれる。映像信号は点順次データであるから、矢印１０６の向き（順番）に各列の映像データＤ０〜Ｄ８を記憶する事になる。このデータを逆方向（矢印１０７の向き）に読み出すと同時に、データの補正値（補正データ１）を演算して、同じく信号補正回路３０内のメモリ１０５に順次記憶する。所定の係数をｋとして、Ｄ８に対応する補正値データ１はｋ×Ｄ８の値をＢ０として記憶する。Ｄ７の補正値データ１はｋ×Ｄ７の値にＢ０を加算した値でありＢ１として記憶する。Ｄ６の補正値データ１はｋ×Ｄ６の値にＢ１を加算し、Ｂ２として記憶する。順次Ｄ０まで演算し、Ｂ８まで記憶する。次にメモリ１０５を（矢印１０８の方向に）順次読み出して、同じく信号補正回路３０内のメモリ１０９に補正データ２を演算して記憶する。これをＣ０〜Ｃ８とする。Ｃ０はＢ８の値として補正データ２とする。Ｃ１はＢ７にＣ０を加算して補正データ２とする。Ｃ２はＢ６にＣ１を加算し、以下順次Ｃ８まで演算し、記憶する。メモリ１０９に記憶された補正データ２は、それぞれＤ０〜Ｄ８に対応する補正値であるため、Ｄｉ＋Ｃｉを補正後の映像信号として用いる。補正値Ｃｉの演算式は図５に於ける式で示している。尚、上記所定の係数ｋは、スキャン線の比抵抗やＭＩＭの効率、ＦＥＤパネル１全体の画素数等で決まる係数である。本発明にかかる信号補正回路３０における補正データ算出のための一般式を、数１に示す。
【００２３】
【数１】
2005010319.tif 000003
【００２４】
このように、本発明は、電圧降下の大きさが各画素（電子放出素子）に供給される駆動信号各々の大きさ、並びに各画素の水平位置における配線抵抗の大きさによって変化することに着目し、上記数１に示すような補正データの演算式を導き出したものである。すなわち、本発明は、ある画素における電圧降下は、その画素に対応するスキャン線とデータ線との交点に流入する電流値の総和、すなわちその画素よりもスキャンドライバ２から離れた位置にある１または複数の画素に流れる各電流（映像データ）の積算値に略比例することを見出し、それを各画素における電圧降下を補正するための補正データの算出に反映させて、各画素に供給される駆動信号を個別に補正したものである。従って、本発明では、画面上に前面が黒色である領域に白ウィンドウを表示する場合、例えば図４に示すように、黒色領域は映像信号レベルが０もしくはそれに近いレベルであるため、黒色領域に対応する画素（電子放出素子）への駆動信号に対しては、略一定の補正データを与える（すなわち補正データの値は電子放出素子の行方向位置に関わらず一定）。一方、白ウィンドウ領域に対応する画素への駆動信号に対しては、当該領域の映像信号は高いレベルにあるために電圧降下が大きいことを考慮し、データドライバ２から離れるに従って徐々にもしくは列毎に段階的に増加する補正データを加える。
【００２５】
映像データの補正が終了後、信号補正回路３０は、矢印１１０の向きに映像データを読み出して、補正された映像データＤｉ＋Ｃｉをタイミングコントローラ１３へ出力する。タイミングコントローラ１３は、所定のタイミングでこの補正された映像データＤｉ＋Ｃｉをデータドライバ４に供給する。データドライバ４は、補正された映像データＤｉ＋Ｃｉを、駆動信号として、番号ｉに対応する各データ線（列）分配して供給する。これにより、各データ線について、配線抵抗による電圧降下（もしくは電圧上昇）が補正された所望の駆動信号波形を得ることが出来る。このように、第一の実施形態によれば、スキャン線とデータ線の差電圧を、入力される映像信号の駆動電圧に等しくでき、輝度むら、すなわちスメアの発生を低減させたＦＥＤを提供することが可能となる。
【００２６】
図６は本発明に係るＦＥＤの第２の実施形態を示す図である。図６の構成要素において図４と同一の構成要素のものには同一番号を付し、その詳細な説明を省略する。図６において、図４と異なる部分について説明する。スキャンドライバ２はスキャン線の右側に配置されており、データ線からの電流は電流４１から４５で示す様に、右側に向かって流れる事になる。このとき、スキャン線の配線抵抗により画素毎の電極間に加わる電圧が変化するが、それらの画素への駆動信号をこの電流４１から４５を順次積算して補正する。電流４１はスキャンドライバ２に向かって流れる為、データ線Ｎｏ．３〜９と交差する画素においては、全て影響が発生する。従って、電流４１の成分は以降のデータ線Ｎｏ．３〜９において補正し、電流４２の成分は以降のデータ線Ｎｏ．４〜９において補正し、電流４３の成分はデータ線Ｎｏ．５〜９で補正が行われるようにする。すなわち、それぞれの電流に相当する映像データをＤｉ、所定の係数をｋとすれば、数２に示す式で累積加算する事により実現できる。
【００２７】
【数２】
2005010319.tif 000004
【００２８】
データドライバ４に入力される信号は、もともと点順次走査の映像信号である為、データドライバ４のデータ線Ｎｏ．１にデータを与えた後Ｎｏ．２にデータを与えると言う手順になる。従って、図７に示す回路を補正回路として用いる事によりデータ線とスキャン線との間の駆動信号振幅を配線抵抗による降下分（上昇分）を補正することが出来る。この補正は、第１の実施形態と同様に信号補正回路３０で行う。この第二の実施形態に係る信号補正回路の具体的回路構成の一例を、図７に示す。この補正回路は、メモリを用いる必要は無く、データの入力端子１２０、フロップフロップ１２１、１２３、加算器１２２、１２４、係数乗算器１２６、データ出力端子１２５で構成されている。これらフリップフロップ、加算器のビット幅については、水平画素数、映像データのビット幅、補正精度を考慮して決定する。データ入力端子１２０から入力された映像信号は、点順次データであり、クロックに同期して送られてくる。フリップフロップ１２１でラッチされ、次のクロックで加算器１２４において、係数乗算器１２６の出力と加算される。このとき係数乗算器出力は０であるから、補正はされずＤ０が出力される。次のクロックで、フリップフロップ１２３の出力はＤ０となり、出力端子１２５において、データＤ１＋ｋ・Ｄ０を出力する。同時に、加算器１２２の出力はＤ１＋Ｄ０となっている。次のクロックで、フリップフロップ１２３の出力はＤ１＋Ｄ０に変わり、出力１２５においては、Ｄ２＋ｋ・（Ｄ１＋Ｄ０）が得られる。順次この出力をデータドライバ４に供給し、補正する事により、隣接画素の駆動信号を補正できる為、この実施形態でも、完全ではないもののスメア等の発生を軽減することが可能となる。
【００２９】
以上の通り、本発明によれば、各画素を流れる電流、及びスキャン線の各データ線との交点位置における配線抵抗に起因する電圧降下を、各画素（電流放出素子）に供給する駆動電流を個別に補正することにより補償することができる。従って、画面全体にわたって輝度むらの発生を抑え、スメアの低減された高画質な映像を表示することが可能となる。上記本発明の実施形態においては、ＭＩＭ型の電子放出素子を例にして説明したが、ＳＣＥ型やＢＳＤ型など、電子放出素子内部に電流を流して電子を放出するタイプのものであれば、それにも同様に適用でき、同様な効果を得ることができる。
【００３０】
【発明の効果】
本発明によれば、高画質な映像を表示可能な映像表示装置を提供できる。
【図面の簡単な説明】
【図１】本発明に係る表示装置の第一の実施形態を示すブロック図
【図２】図１に示した表示パネル１の配線パターンの一例を示す図
【図３】ＭＩＭ型電子放出素子の動作を説明するための図
【図４】図１に示した第１の実施形態の動作を説明する図
【図５】図１に示した第１の実施形態の、信号補正回路３０における補正データ作成の動作を説明する図
【図６】本発明に係る表示装置の第二の実施形態を示すブロック図
【図７】図６に示した第二の実施形態の、信号補正回路３０の具体的な回路構成の一例を示す図。
回路構成の一例を示す図
【符号の説明】
１…ＦＥＤパネル、２…スキャンドライバ、４…データドライバ、７…高圧発生回路、８…高圧制御回路、１０…電源端子、１２…ＬＶＤＳＲｘ回路、１３…タイミングコントローラ、１６…ビデオ入力端子、１７…ビデオ信号処理回路、１８…ＬＶＤＳＴｘ回路、１９…システムマイコン、２０…ＦＥＤモジュール、３０…信号補正回路。
【図１】
2005010319.tif 000007
【図２】
2005010319.tif 000008
【図３】
2005010319.tif 000009
【図４】
2005010319.tif 000010
【図５】
2005010319.tif 000011
【図６】
2005010319.tif 000012
【図７】
2005010319.tif 000013
【手続補正書】
【提出日】平成15年7月7日(2003.7.7)
【手続補正１】
【補正対象書類名】図面
【補正対象項目名】全図
【補正方法】変更
【補正の内容】
【図１】
2005010319.tif 000014
【図２】
2005010319.tif 000015
【図３】
2005010319.tif 000016
【図４】
2005010319.tif 000017
【図５】
2005010319.tif 000018
【図６】
2005010319.tif 000019
【図７】
2005010319.tif 000020